(57)【要約】【課題】本発明は、商品を順調に落下させることができる自動販売機の商品収納送出装置を提供することを目的とする。【解決手段】本発明に係る自動販売機の商品収納送出装置は、収容部と、送出機構と、を備える。収容部には一番目の商品、二番目の商品が順に配列され、送出機構は、収容部に装着される装着軸と、装着軸に回転可能に装着される当止板と、ブロック部と、を備え、ブロック部は収容部に回転可能に装着され且つ当止板に連接され、当止板は収容部に対して回転可能であり、当止板は一番目の商品に当接し、商品が収容部から離脱することを防止し、当止板が収容部と離れるように回転されると、一番目の商品は収容部から落下し、ブロック部の収容部に隣接する端は上方へ移動し二番目の商品をブロックし、当止板が収容部へ向けて回転されると、ブロック部の収容部に隣接する端は下方へ移動し、二番目の商品は当止板に移動し当止板にブロックされる。【選択図】図６
2015005290.tif 000002
【特許請求の範囲】
【請求項１】
収容部と、
送出機構と、
を備えてなる自動販売機の商品収納送出装置であって、
前記収容部には一番目の商品、その後に位置する二番目の商品が順に配列され、前記送出機構は、装着軸と、当止板と、ブロック部と、を備え、前記装着軸は前記収容部に装着され、前記当止板は前記装着軸に回転可能に装着され、前記ブロック部は前記収容部に回転可能に装着され且つ前記当止板に連接され、前記当止板は前記収容部に向けて又は離れるように回転可能であり、前記当止板は一番目の商品に当接し、商品が前記収容部から離脱することを防止し、前記当止板が前記収容部と離れるように回転されると、前記一番目の商品は前記収容部から落下し、前記ブロック部の前記収容部に隣接する端は上方へ移動し前記二番目の商品をブロックし、前記当止板が前記収容部へ向けて回転されると、前記ブロック部の前記収容部に隣接する端は下方へ移動し、前記二番目の商品は前記当止板に移動し前記当止板にブロックされることを特徴とする自動販売機の商品収納送出装置。
【請求項２】
前記送出機構は、駆動部品と、前記駆動部品と前記当止板との間に連接される連接部品と、を更に備え、前記当止板は前記駆動部品に連動され回転可能であることを特徴とする請求項１に記載の自動販売機の商品収納送出装置。
【請求項３】
前記連接部品は、第一軸部及び前記第一軸部に連接される第二軸部を備え、前記駆動部品は前記第一軸部に固定される回転軸を備え、前記当止板は前記第二軸部に固定され、前記当止板が商品をブロックする時、前記第二軸部は前記駆動部品に連動されて前記当止板に抵抗し、前記当止板を回転させないことを特徴とする請求項２に記載の自動販売機の商品収納送出装置。
【請求項４】
前記ブロック部は２つのアームを介して前記当止板に連接されることを特徴とする請求項１から３の何れか一項に記載の自動販売機の商品収納送出装置。
【請求項５】
前記収容部は、開孔が設けられた底板を備え、前記ブロック部は前記開孔に収容され且つ前記当止板がブロックする商品を支持し、前記当止板は前記底板に対して垂直になると商品をブロックし、前記当止板が前記底板及び前記ブロック部に対して鋭角を形成するように回転されると商品が落下することを特徴とする請求項１から４の何れか一項に記載の自動販売機の商品収納送出装置。
【請求項６】
前記収容部には商品を収容する収容溝が設けられ、前記収容溝には支持板が設置され、前記収容溝は下部に位置する第一通路及び上部に位置する第二通路を備え、商品は前記第一通路及び前記第二通路に収容され、商品は、前記第一通路から落下することを特徴とする請求項５に記載の自動販売機の商品収納送出装置。
【請求項７】
前記収容部は前記底板の前記送出機構と離れる端に設置された後板を更に備え、前記支持板は前板から前記底板に向けて下方に延伸し、前記支持板と前記後板との間には連通孔が設けられ、前記第二通路に収容される商品は順に前記連通孔を通って第一通路に送られることを特徴とする請求項６に記載の自動販売機の商品収納送出装置。
【発明の詳細な説明】
【技術分野】
【０００１】
本発明は、自動販売機の商品収納送出装置に関するものである。
【背景技術】
【０００２】
従来の技術において、自動販売機は、バネを使用した商品送出機構を利用して商品を落下させる。このバネを使用した商品送出機構は、収容部及び収容部内に設置されたバネを備える。商品は収容部に収容され且つバネの２つの輪の間に挟まれ、バネが回転することによって、商品が移動する。しかし、この構造では、商品が落下するまでに時間がかかり、また、商品はバネによって移動するため、移動ルートは不規則であって、商品は倒れやすく、落下できない場合もある。
【発明の概要】
【発明が解決しようとする課題】
【０００３】
本発明の目的は、前記問題を解決し、商品を順調に落下させることができる自動販売機の商品収納送出装置を提供することである。
【課題を解決するための手段】
【０００４】
上記目的を達成するために、本発明に係る自動販売機の商品収納送出装置は、収容部と、送出機構と、を備える。収容部には一番目の商品、二番目の商品が順に配列され、送出機構は、収容部に装着される装着軸と、装着軸に回転可能に装着される当止板と、ブロック部と、を備え、ブロック部は収容部に回転可能に装着され且つ当止板に連接され、当止板は収容部に対して回転可能であり、当止板は一番目の商品に当接し、商品が収容部から離脱することを防止し、当止板が収容部と離れるように回転されると、一番目の商品は収容部から落下し、ブロック部の収容部に隣接する端は上方へ移動し二番目の商品をブロックし、当止板が収容部へ向けて回転されると、ブロック部の収容部に隣接する端は下方へ移動し、二番目の商品は当止板に移動し当止板にブロックされる。
【発明の効果】
【０００５】
本発明に係る自動販売機の商品収納送出装置は、回転可能な当止板及びブロック部を利用することで、商品を自動的に且つ順調に落下させることができる。
【図面の簡単な説明】
【０００６】
【図１】本発明の実施形態に係る自動販売機の商品収納送出装置の分解斜視図である。
【図２】図１に示す自動販売機の商品収納送出装置の送出機構の分解斜視図である。
【図３】図２に示す自動販売機の商品収納送出装置の送出機構の組立斜視図である。
【図４】図１に示す自動販売機の商品収納送出装置の組立斜視図である。
【図５】図４に示す自動販売機の商品収納送出装置が商品を収容している状態を示す図である。
【図６】図５に示す自動販売機の商品収納送出装置が商品を落下させる状態を示す図である。
【発明を実施するための形態】
【０００７】
図１及び図５に示したように、本発明の実施形態に係る自動販売機の商品収納送出装置は、収容部１００及び収容部１００に装着される送出機構３００を備える。収容部１００には、円柱状の商品４００、例えば、飲料や缶詰等が収容される。
【０００８】
収容部１００は、底板１１０と、底板１１０の両側にそれぞれ設置された２つの側板１２０と、底板１１０の後側に設置された後板１３０と、底板１１０に設置され且つ側板１２０の間に位置する複数の隔離板１４０と、を備える。隔離板１４０は、互いに平行に設置され、且つ側板１２０にも平行である。また、隔離板１４０は、底板１１０に対して垂直である。つまり、収容部１００には、商品４００を収容するための複数の平行な収容溝１１１が設けられている。後板１３０は、側板１２０の後端に垂直に連接され且つ隔離板１４０の後端に当接されている。使用する際、商品４００が落下できるように、底板１１０が地面に対して鋭角、望ましくは約１５度傾斜するよう、収容部１００は自動販売機内に装着される。これによって、ある商品４００が選択されると、商品４００は底板１１０に沿って落下する。また、各収容溝１１１の前端には開口１１３が設けられており、各開口１１３の両側には、回転孔１１４１が設けられた装着片１１４がそれぞれ設置されている。各側板１２０には、通孔１２１が設けられている。
【０００９】
収容部１００は、複数の支持板１５０と、側板１２０の前端の上部を垂直に連接する前板１６０と、を更に備える。支持板１５０は、収容溝１１１内にそれぞれ収容され、且つ前板１６０から後板１３０へ且つ底板１１０に向けて（即ち下方に）傾斜するように延伸している。これにより、各収容溝１１１には、下部に位置する第一通路１１６と、上部に位置し且つ第一通路１１６と連通する第二通路１１５と、が形成される（図４を参照）。第一通路１１６及び第二通路１１５は商品４００を収容できるため、収容部１００は従来の収容部に比べて二倍の商品４００を収容可能である。支持板１５０の延伸方向と底板１１０との間に形成される角度は、３０度であるほうが望ましい。また、各支持板１５０と後板１３０との間には連通孔１１７が設けられている。これによって、第二通路１１５内に収容される商品４００は支持板１５０に沿って落下し、連通孔１１７を通って第一通路１１６内に送られる。前板１６０は、通孔１２１の上方に位置し、商品４００が支持板１５０の前端から落下することを防ぐために設置されている。
【００１０】
図２及び図３を参照すると、送出機構３００は、フレーム３１０と、装着軸３２０と、一定数量の駆動部品３３０と、一定数量の連接部品３４０と、一定数量の当止板３５０と、一定数量の対になったアーム３６０と、一定数量のブロック部３７０と、を備える。前記一定数量は収容溝１１１の数量と同じである。本実施形態においては、一つの駆動部品３３０、一つの連接部品３４０、一つの当止板３５０、一対のアーム３６０及び一つのブロック部３７０を示して説明する。駆動部品３３０はモータであり、その一端からは回転軸３３１が延出している。
【００１１】
フレーム３１０は、互いに平行に位置する下板３１１及び上板３１３と、この下板３１１と上板３１３との間に位置し、且つ下板３１１及び上板３１３に垂直に連接された複数の連接板３１５と、を備える。下板３１１及び上板３１３は、側板１２０の前端の間に溶接される。連接板３１５の数量は、駆動部品３３０の数量と同じである。各連接板３１５には、固定孔３１５１が設けられている。下板３１１における各連接板３１５の一側に隣接する箇所には、貫通スロット３１１１が設けられている。駆動部品３３０は、下板３１１と上板３１３との間に収容され、この際、駆動部品３３０は、連接板３１５の貫通スロット３１１１と離れる側に隣接する。
【００１２】
各連接部品３４０は、第一軸部３４１及び第二軸部３４３を備える。第一軸部３４１の両端には、装着孔３４１１がそれぞれ設けられ、第二軸部３４３の両端には、係合部３４３１がそれぞれ設置されている。一つの装着孔３４１１に対して一つの係合部３４３１を挿入するが、この際、第二軸部３４３は第一軸部３４１に垂直に装着する。他の実施形態において、第二軸部３４３と第一軸部３４１とは一体形成され、Ｌ字状を呈する。
【００１３】
各当止板３５０の上辺の両端には、収容孔３５１１が設けられた回転部３５１がそれぞれ延出している。各当止板３５０の下部には、係合孔３５５１が設けられた突出部３５５が突出しており、各当止板３５０の両側には、挿入孔３５３１が設けられた延伸部３５３がそれぞれ延出している。
【００１４】
各アーム３６０の両端には、ピン３６１がそれぞれ突出している。
【００１５】
各ブロック部３７０は、幅が開口１１３より小さい移動板３７１と、移動板３７１の後端から下方へ延伸するブロック板３７３と、移動板３７１の両側から下方へそれぞれ延伸する側部３７５と、を備える。側部３７５には、装着溝３７５１がそれぞれ設けられている。側部３７５のブロック板３７３と離れる端には、突起部３７５３がそれぞれ突出している。
【００１６】
図３及び図４に示したように、組み立てる際、各ブロック部３７０の突起部３７５３を、開口１１３の両側に位置する回転孔１１４１にそれぞれ挿入し、ブロック部３７０を収容部１００に回転可能に装着した後、装着軸３２０を収容孔３５１１に挿通させる。これによって、当止板３５０は回転可能に装着軸３２０に装着される。次に、装着軸３２０の両端を通孔１２１にそれぞれ挿入し、各アーム３６０のピン３６１を当止板３５０の挿入孔３５３１及びブロック部３７０の装着溝３７５１にそれぞれ挿入する。これにより、ブロック部３７０は当止板３５０に連動されて、突起部３７５３を回転軸として、収容部１００に対して回転することができる。この時、移動板３７１は、開口１１３内に収容され、当止板３５０は、対応する第一通路１１６を封鎖する。
【００１７】
駆動部品３３０をフレーム３１０に装着する際、回転軸３３１を一つの連接板３１５の貫通スロット３１１１と離れる側から固定孔３１５１に挿通し、連接板３１５の他側から露出させる。これによって、駆動部品３３０は、フレーム３１０と共に収容部１００に装着され且つ装着軸３２０の前側に位置する。次に、第一軸部３４１を貫通スロット３１１１に挿通し、第二軸部３４３と離れる装着孔３４１１は回転軸３３１に挿入される。これによって、連接部品３４０は駆動部品３３０に固定され、連動されることが可能である。また、第二軸部３４３の第一軸部３４１と離れる係合部３４３１は当止板３５０の係合孔３５５１に係合される。これによって、当止板３５０は駆動部品３３０に連動されることが可能である。
【００１８】
図５及び図６に示したように、第一通路１１６及び第二通路１１５には、商品４００が略Ｖ字状に配列されている。一番目の商品４００は、移動板３７１に支持され且つ当止板３５０にブロックされる。この状態では、当止板３５０は底板１１０に対して垂直である。駆動部品３３０は連接部品３４０を駆動して、第二軸部３４３を当止板３５０に対して鋭角に位置させ、第二軸部３４３に当止板３５０を押圧させる。これによって、当止板３５０は装着軸３２０に対して回転できなくなる。商品４００を取り出す時、即ち消費者が商品４００を買う時、駆動部品３３０は回転軸３３１を時計回りに回転させて、連接部品３４０を連動させ、第二軸部３４３を第一方向へ移動させ、当止板３５０を商品４００から離れるように回転させる。即ち、当止板３５０を開く。この時、当止板３５０は、底板１１０及び移動板３７１に対して鋭角を形成するように斜めに延伸する。一番目の商品４００を収容部１００から取り出すと同時に、ブロック部３７０は、当止板３５０に連動されて回転し、ブロック板３７３は上方へ移動し、二番目の商品４００をブロックする。
【００１９】
次いで、駆動部品３３０を逆回転して、連接部品３４０を連動させると、当止板３５０は収容部１００へ向けて回転し、ブロック部３７０のブロック板３７３は下方へ移動し、二番目の商品４００は当止板３５０へ移動し当止板３５０にブロックされ、第二通路１１５に収容された商品４００は支持板１５０に沿って移動する。例えば、連通孔１１７内に収容された商品４００は第一通路１１６に落下し、隣に位置する商品４００は連通孔１１７まで落下する。
【００２０】
従来の技術に比べて、本発明は、収容部１００の各収容溝を上下２つの通路に分けて、二倍の商品４００を収容できるので、商品を頻繁に補充しなくてよい。また、送出機構３００において商品４００を重力によって自動的に移動させるので、商品４００を素早く取り出すことができ、また、商品４００が倒れるのを防ぐこともできる。
【符号の説明】
【００２１】
１００  収容部
１１０  底板
１１１  収容溝
１１３  開口
１１４  装着片
１１４１  回転孔
１１５  第二通路
１１６  第一通路
１１７  連通孔
１２０  側板
１２１  通孔
１３０  後板
１４０  隔離板
１５０  支持板
１６０  前板
３００  送出機構
３１０  フレーム
３１１  下板
３１３  上板
３１５  連接板
３１１１  貫通スロット
３１５１  固定孔
３２０  装着軸
３３０  駆動部品
３３１  回転軸
３４０  連接部品
３４１  第一軸部
３４１１  装着孔
３４３  第二軸部
３４３１  係合部
３５０  当止板
３５１  回転部
３５１１  収容孔
３５３  延伸部
３５３１  挿入孔
３５５  突出部
３５５１  係合孔
３６０  アーム
３６１  ピン
３７０  ブロック部
３７１  移動板
３７３  ブロック板
３７５  側部
３７５１  装着溝
３７５３  突起部
４００  商品
【図１】
2015005290.tif 000003
【図２】
2015005290.tif 000004
【図３】
2015005290.tif 000005
【図４】
2015005290.tif 000006
【図５】
2015005290.tif 000007
【図６】
2015005290.tif 000008